(57)【要約】【課題】軽量薄肉のボトルにも適用でき、多くのスペースを必要とせずに装着して注ぎ出しに利用でき、しかもそれ自体を積み重ねてスタックする場合にも大きなスペースを必要としないボトル用ホルダを提供すること。【解決手段】上部本体３１と側壁部本体３２と底部本体３３からなりボトルが収納されるホルダ６０に、その上端部にボトルのノズル部が側方から装入されるノズル用開口部４１を備え、このノズル用開口部４１に装入されたノズル部をロックリング６２でロックして固定状態にし、上部本体３１と側壁部本体３２の間にボトル胴部を装入するボトル用開口部５１をあけ、これに続く側壁部５２を延出させてハンドル部５３を形成し、反対側の側壁部５５に他のハンドル部５３を収納可能とするハンドル用開口部５６を形成してある。これにより、広い範囲を掴むハンドル部５３で省スペース化を図り、注ぎ出しなどを容易にし、しかもハンドル部５３をハンドル用開口部５６に収納することで、スタック性の向上を図るようにしている。【選択図】　　　図５
2004067113.tif 000002
【特許請求の範囲】
【請求項１】
内方にボトルが収納され上端部にボトルのノズル部が側方から装入されるノズル用開口部を備え、このノズル用開口部に装入された前記ノズル部を着脱可能に係止保持する係止部を備える上部本体と、この上部本体の前記ノズル用開口部と対向しボトル胴部を装入するボトル用開口部をあけて側壁部を延出させて形成したハンドル部を備え、このハンドル部と対向する側壁部に同一形状の他のハンドル部を収納可能とするハンドル用開口部を備えた側壁部本体とを備えることを特徴とするボトル用ホルダ。
【請求項２】
前記上部本体の前記ノズル用開口部に被せられ当該上部本体と装入係止されたノズル部の周囲とを連結固定するロックリングまたは前記ノズル用開口部の開口端側に、当該開口端を開閉可能として装入係止されたノズル部を保持固定するロックプレートを設けたことを特徴とする請求項１記載のボトル用ホルダ。
【請求項３】
前記上部本体の上面部に、操作用のアーム部を設けたことを特徴とする請求項１または２記載のボトル用ホルダ。
【請求項４】
前記側部本体のハンドル部と対向する側壁部に横置き可能とする平坦面を形成してなることを特徴とする請求項１〜３のいずれかに記載のボトル用ホルダ。
【請求項５】
前記側部本体の下端部に縦置き状態の底部となる底部本体を一体に形成したことを特徴とする請求項１〜４のいずれかに記載のボトル用ホルダ。
【請求項６】
前記上部本体の前記ノズル用開口部に、装入される前記ボトルに形成された回り止め部と係合して当該ボトルの回転を阻止する回り止め係合部を設けてなることを特徴とする請求項１〜５のいずれかに記載のボトル用ホルダ。
【請求項７】
前記回り止め部と前記回り止め係合部とを互いを係合する外周部を平行にした２面部、矩形部、係合爪部のいずれかで構成したことを特徴とする請求６記載のボトル用ホルダ。
【発明の詳細な説明】
【０００１】
【発明の属する技術分野】
この発明は、ボトル用ホルダに関し、ＰＥＴボトルなどのボトルで注ぎ易くする等とともに、冷蔵庫などに縦置きしたり、横置きする場合にも取り扱い易くするもので、特にリサイクル性や廃棄性を高めた軽量薄肉のボトル用として好適なものである。
【０００２】
【従来の技術】
液体用の容器として種々の合成樹脂製のボトルが用いられており、例えば清涼飲料や天然水などのミネラルウォータの容器等としてＰＥＴボトルが用いられており、最近では、ボトルの内容量の大きなものも使われている。
【０００３】
このようなボトルは、通常、円筒状や矩形筒状の胴部の上端にノズル部が設けられ、ねじ式のキャップが取り付けられて開閉できるようになっており、使い始める場合には、ねじ式のキャップを回してシール部を切り離し、胴部を持って注ぐようにしている。
【０００４】
このようにボトルから内容物を注ぎ出す場合にボトルの胴部を持って行なおうとすると、胴部が太いこともあり、注ぎ難く、これを解消するため種々の提案がなされている。
【０００５】
例えば、図１１に示す特開平７−２５１８４３号公報に開示されたボトル支持用把手１では、把手部２の上端部にほぼ水平にボトル支持部３を形成し、このボトル支持部３にボトル１００のノズル部１１０のつば状リング下部を係合する係合凹部４を設け、この係合凹部４の両先端から通したワイヤ５を把手部２に設けたレバー６で長さを変えるようにするとともに、把手部２の下端部にもボトル支持部７を形成してボトル１００の胴部１２０の形状に沿うようにし、このボトル支持部７の両先端から通したワイヤ８を把手部２に設けたレバー９で長さを変えるようにしてある。
【０００６】
そして、上下２本のワイヤ５，８を長くした状態でボトル１００に被せ、上端部のボトル支持部３の係合凹部４にボトル１００のノズル部１１０を係合した後、それぞれのワイヤ５，８をレバー６，９によって締め込んでボトル支持用把手１をボトル１００に固定し、把手部２を持つことで注ぎ易くしている。
【０００７】
一方、最近では、ボトルのリサイクルの問題からボトルの成形に要する合成樹脂材料などの使用量を削減して軽量薄肉化を図る必要があり、ボトルによってはボトル支持用把手を固定することができないものもある。
【０００８】
そこで、柔軟な容器であっても適用できるものが提案されており、例えば図１２に実開平７−１５５６６号のマイクロフィルムに開示された柔軟容器の保持器１０を示すように、柔軟容器をほぼ隙間なく装入する大きさの周側壁１１、底壁１２および頂壁１３を備えた保持器１０で、周側壁１１に外側に突き出した把手１４と下部に柔軟容器の下端部を突出可能とする窓孔１５と窓孔１５を挾んで対向する部分に下部を残して上端まで開口１６を形成し、頂壁１３に一端が開放した案内溝１７を形成して柔軟容器のノズル部を嵌合装入できるようにしてある。
【０００９】
そして、使用する場合には、柔軟容器を開口１６から斜めに差込み、直立させて案内溝１７にノズル部を嵌合装入するようにしてほぼ隙間なく装入し、把手１４を持ことで注ぎ易くしている。
【００１０】
【発明が解決しようとする課題】
ところが、このような柔軟容器の保持器をボトルに適用すると、例えば２リットル入りのＰＥＴボトルでは、冷蔵庫のドアポケットに入らない場合もあり、野菜庫などに立てたまま入れたり、棚部分に横置き状態にして入れることがあるが、このような場合に、周側壁に突き出した把手が邪魔になって多くのスペースを必要としたり、横置きにできない場合が起こるという問題がある。
【００１１】
また、例え保持器に装着したまま縦置き状態や横置き状態にできても、冷蔵庫などから取り出そうとすると、把手が保持器の横に位置するため下方となったったり、奥になって取り出し難いという問題がある。
【００１２】
さらに、このような保持器では、それ自体を積み重ねて保管する場合などに大きなスペースを必要とし、効率的にスタックすることができないという問題がある。
【００１３】
この発明はかかる従来技術の有する課題に鑑みてなされたもので、軽量薄肉のボトルにも適用でき、多くのスペースを必要とせずに装着して注ぎ出しに利用でき、しかもそれ自体を積み重ねてスタックする場合にも大きなスペースを必要としないボトル用ホルダを提供しようとするものである。
【００１４】
【課題を解決するための手段】
上記従来技術が有する課題を解決するためこの発明の請求項１記載のボトル用ホルダは、内方にボトルが収納され上端部にボトルのノズル部が側方から装入されるノズル用開口部を備え、このノズル用開口部に装入された前記ノズル部を着脱可能に係止保持する係止部を備える上部本体と、この上部本体の前記ノズル用開口部と対向しボトル胴部を装入するボトル用開口部をあけて側壁部を延出させて形成したハンドル部を備え、このハンドル部と対向する側壁部に同一形状の他のハンドル部を収納可能とするハンドル用開口部を備えた側壁部本体とを備えることを特徴とするものである。
【００１５】
このボトル用ホルダによれば、内方にボトルが収納され上端部にボトルのノズル部が側方から装入（装着するように入れること）されるノズル用開口部を備え、このノズル用開口部に装入された前記ノズル部を着脱可能に係止保持する係止部を備える上部本体と、この上部本体の前記ノズル用開口部と対向しボトル胴部を装入するボトル用開口部をあけて側壁部を延出させて形成したハンドル部を備え、このハンドル部と対向する側壁部に同一形状の他のハンドル部を収納可能とするハンドル用開口部を備えた側壁部本体とを備えるようにしており、側壁部を延出させて広い範囲を握るようにして省スペースでハンドル部を形成でき、このハンドル部を持って注ぎ出しなどを容易にできるようにし、しかもハンドル部と対向する側壁部にハンドル部が収納できるハンドル用開口部を形成することで、スタック性の向上を図るようにしている。
【００１６】
また、この発明の請求項２記載のボトル用ホルダは、請求項１記載の構成に加え、前記上部本体の前記ノズル用開口部に被せられ当該上部本体と装入係止されたノズル部の周囲とを連結固定するロックリングまたは前記ノズル用開口部の開口端側に、当該開口端を開閉可能として装入係止されたノズル部を保持固定するロックプレートを設けたことを特徴とするものである。
【００１７】
このボトル用ホルダによれば、前記上部本体の前記ノズル用開口部に被せられ当該上部本体と装入係止されたノズル部の周囲とを連結固定するロックリングまたは前記ノズル用開口部の開口端側に、当該開口端を開閉可能として装入係止されたノズル部を保持固定するロックプレートを設けるようにしており、ノズル用開口部の係止部に係止保持されたボトルのノズル部をロックリングで囲んで確実に固定状態にでき、ロックリングに替えて設けたロックプレートでノズル用開口部の開口端を塞ぐようにでき、これによってもボトルのノズル部を確実に固定状態にできるようになる。
【００１８】
さらに、この発明の請求項３記載のボトル用ホルダは、請求項１または２記載の構成に加え、前記上部本体の上面部に、操作用のアーム部を設けたことを特徴とするものである。
【００１９】
このボトル用ホルダによれば、前記上部本体の上面部に、操作用のアーム部を設けるようにしており、縦置き状態でも横置き状態でも上方や手前に位置することになる操作用のアーム部によって簡単に取出したり、収納したりする等の操作が容易にできるようになる。
【００２０】
また、この発明の請求項４記載のボトル用ホルダは、請求項１〜３のいずれかに記載の構成に加え、前記側部本体のハンドル部と対向する側壁部に横置き可能とする平坦面を形成してなることを特徴とするものである。
【００２１】
このボトル用ホルダによれば、前記側部本体のハンドル部と対向する側壁部に横置き可能とする平坦面を形成するようにしており、平坦面を下にすることで安定した状態で横置きすることができ、しかも上側に位置するハンドル部で取出しなどの操作もできるようになる。
【００２２】
さらに、この発明の請求項５記載のボトル用ホルダは、請求項１〜４のいずれかに記載の構成に加え、前記側部本体の下端部に縦置き状態の底部となる底部本体を一体に形成したことを特徴とするものである。
【００２３】
このボトル用ホルダによれば、前記側部本体の下端部に縦置き状態の底部となる底部本体を一体に形成するようにしており、全体の剛性を高めることができるとともに、安定した状態で縦置きすることができるようになる。
【００２４】
また、この発明の請求項６記載のボトル用ホルダは、請求項１〜５のいずれかに記載の構成に加え、前記上部本体の前記ノズル用開口部に、装入される前記ボトルに形成された回り止め部と係合して当該ボトルの回転を阻止する回り止め係合部を設けてなることを特徴とするものである。
【００２５】
このボトル用ホルダによれば、前記上部本体の前記ノズル用開口部に、装入される前記ボトルに形成された回り止め部と係合して当該ボトルの回転を阻止する回り止め係合部を設けるようにしており、回り止め係合部にボトルの回り止め部を係合して装入されたボトルの回転を阻止することで、キャップを回すだけでボトルを押さえる必要がなく、簡単に注ぎ出すことができ、特に使い初めのキャップのシール部の切り離しが簡単にできるようになる。
【００２６】
さらに、この発明の請求項７記載のボトル用ホルダは、請求項６記載の構成に加え、前記回り止め部と前記回り止め係合部とを互いを係合する外周部を平行にした２面部、矩形部、係合爪部のいずれかで構成したことを特徴とするものである。
【００２７】
このボトル用ホルダによれば、前記回り止め部と前記回り止め係合部とを互いを係合する外周部を平行にした２面部、矩形部、係合爪部のいずれかで構成するようにしており、互いを係合する外周部を平行にした２面部、矩形部、係合爪部のいずれかを設けることでボトルの回転を阻止できるようにしている。
【００２８】
【発明の実施の形態】
以下、この発明の実施の形態について図面に基づき詳細に説明する。
図１〜図４はこの発明のボトル用ホルダの一実施の形態にかかり、図１は全体の正面と背面の概略斜視図およびロックプレート部分の正面図、図２は側面図および平面図、図３は縦断面図および中央横断面図、図４はボトルの装着の説明図およびスタック状態の説明図である。
【００２９】
このボトル用ホルダ３０は、合成樹脂製のボトル１００に装着して使用するもので、注ぎ出す場合はもちろん、縦置き状態や横置き状態からの取り出しなどにも使用することでボトル１００の取り扱いを容易とするものである。
【００３０】
このボトル用ホルダ３０は、略筒状に形成され、例えば上部の上部本体３１とこれに続く下部の側壁部本体３２とを備えて構成してあり、例えばこれら上部本体３１および側壁部本体３２が合成樹脂で一体に成形してある。
【００３１】
このボトル用ホルダ３０の上部本体３１は、例えばボトル１００の上部の形状（ノズル部１１０の下部の縮径部１３０などの形状）に対応した略ドーム状に形成され、頂部にボトル１００のノズル部１１０のつば状リング部１１２の下部近傍に位置する板状の上板部３１ａが形成され、この上部本体３１の上板部３１ａにボトル１００のノズル部１１０が側方から装入（装着するように入れること）されるノズル用開口部４１が略Ｕ字状に形成してある。このノズル用開口部４１には、上下方向の平面視Ｕ字状の側壁部４２の内側に水平な水平壁部４３が一体に形成され、この水平壁部４３の開口端近傍の両側に突き出してノズル部１１０を係止保持する係止部４４として突起部４５がアンダーカットとして形成してあり、ノズル用開口部４１に装着されたノズル部１１０の開口端側から押さえてボトル１００を上部本体３１に取り付けた状態を保持できるようにしてある。
【００３２】
また、このノズル用開口部４１には、係止部４４の両側の突起部４５で押さえて取り付けたボトル１００のノズル部１１０を確実に固定保持するため、開口端部を塞ぐようにロックプレート４６が設けられ、このロックプレート４６の一端部がノズル用開口部４１の一端に水平軸回りに回動可能にピンで取付られ、ロックプレート４６の他端部に形成した係合用突起４７がノズル用開口部４１の他端の係合用溝４８に係合されて固定されるようになっている。
【００３３】
さらに、この上部本体３１には、ドーム状の肩部分のノズル用開口部４１の両側にアーム部４９が設けられ、垂直部４９ａと水平部４９ｂとでＬ字状に形成され、上部本体３１のドーム状の外側に垂直部４９ａの下端が連結され、垂直部４９ａの上端とドーム状の中心部とが水平部４９ｂで連結されて空間に指を掛けられるようにしてあり、例えば合成樹脂による成形の際、一体に成形される。
【００３４】
また、上部本体３１のノズル用開口部４１の後方には、２つの貫通孔５０が形成され、軽量化を図ると同時に、必要に応じてボトル１００を押えるのに利用できるようにしてある。
【００３５】
このボトル用ホルダ３０では、上部本体３１のドーム状の部分がノズル用開口部４１の後方の約１８０度の範囲にのみ形成されてアーム部４９や貫通孔５０が配置され、開口端の両側から前方の約１８０度の範囲はボトル用開口部５１の一部となるよう大きく切り欠かれて開口している。
【００３６】
このようなボトル用ホルダ３０の上部本体３１の下方には、ボトル１００を内側に収納できる大きさ（外形および高さ）の略筒状の側壁部本体３２が一体に形成されており、例えば図示例のように、ボトル１００として胴部１２０が円形のボトルでは略円筒状の側壁部本体３２とされ、角形のボトルでは略矩形筒状の側壁部本体とされる。
【００３７】
この側壁部本体３２では、上部本体３１のノズル用開口部４１と対向する前方の側壁部５２の中間部に、側壁部本体３２から外側に突き出すように外形を延ばしてハンドル部５３が形成され、ハンドル部５３の横断面形状が略台形状とされ、略台形の両側の傾斜面に指を掛ける上下方向の指用長孔５４が形成してある。
【００３８】
すなわち、このハンドル部５３は棒状の把持部を握るようにするものでなく、ハンドル部５３の中央部に手の平を当て、両側の指用長孔５４の一方に親指を、他方に他の指を掛けて掴むようにするもので、本来の側壁部５２からの突出量を小さくして掴むことができるようにしている。
【００３９】
この側壁部本体３２では、ハンドル部５３の上方の側壁部（５２）は取り除かれた状態となっており、上部本体３１のノズル用開口部４１の前方約１８０度の開口と連通してボトル用開口部５１とされ、ボトル１００をこのボトル用開口部５１から入れたり、出したりすることができるようになっている。
【００４０】
また、この側壁部本体３２では、ハンドル部５３の下方の側壁部（５２）も取り除かれた状態としてある。
【００４１】
さらに、このボトル用ホルダ３０では、側壁部本体３２のハンドル部５３と対向する側の側壁部５５に、同一形状の他のボトル用ホルダ３０を積み重ねてスタックする場合に、ハンドル部５３が収納されるようにハンドル用開口部５６が形成してあり、約１８０の範囲の開口としてある。このハンドル用開口部５６の上方および下方には、上部側壁部５５ａと下部側壁部５５ｂとが形成されて残された状態となっている。
【００４２】
そして、このボトル用ホルダ３０では、ハンドル部５３と対向する側の側壁部５５である上部側壁部５５ａと下部側壁部５５ｂとの中央部にそれぞれ平坦面５７が形成してあり、ボトル１００を装着した状態のボトル用ホルダ３０ごと横置き状態とする場合にこの平坦面５７によって安定した状態に保持できるようにしてある。
【００４３】
このようにボトル用ホルダ３０では、側壁部本体３２の下端部（底部）が開口していることから、図４（ａ）に示すように、ボトル１００の上方から被せるようにしたり、ボトル１００を上部本体３１と側壁部本体３２の間のボトル用開口部５１から斜めに入れるようにし、上部本体３１のノズル用開口部４１の前方にボトル１００のノズル部１１０を位置させるようにした後、ノズル部１１０のつば状リング部１１２の下方をノズル用開口部４１の係止部４４の間に押し込むように装入して突起部４５で押さえて係止し、ロックプレート４６を回動してノズル用開口部４１の開口端を塞ぎ、係合用突起４７を係合用溝４８に係合することで、ボトル１００のボトル用ホルダ３０への取付状態を保持する。
【００４４】
この後、新しいボトル１００の場合には、ノズル部１１０を覆うねじ式のキャップ１１３を回してシール部を切り離す。このキャップ１１３を回す場合には、上部本体３１に形成した貫通孔５０でボトル１００やホルダ３０自体を押さえたり、ハンドル部５３を押さえたり、側壁部本体３２を押え、あるいはボトル１００の胴部１２０をハンドル用開口部５６から直接押さえてキャップ１１３の回転に伴う反力を支持するようにすれば良く、上部本体３１の係止部４４に、後述するようなボトル１００のノズル部１１０の回り止め係合部を設けて回り止め構造とするようにしても良い。
【００４５】
そして、キャップ１１３を取り外した後、注ぎ出す場合には、ボトル用ホルダ３０の側方に突き出した横に広い水平断面形状が略台形状のハンドル部５３の指用長孔５４に親指と他の指を掛けて掴んで片手で持ち上げることで、注ぎ出すことができる。
【００４６】
また、ハンドル部５３に指を掛けて掴んだ状態で、側壁部本体３２の下部側壁部５５ｂの下端縁を床面などに付けたまま傾けるようにして注ぎ出すこともでき、特に、内容量が多く重量のあるボトル１００であっても全体を持ち上げることなくわずかな力で注ぎ出すことができ、力のない者でも容易に注ぎ出すことができ、しかもこのようなボトル１００を傾ける場合にも、ボトル１００のノズル部１１０がボトル用ホルダ３０のノズル用開口部４１に嵌まる方向であり、ボトル１００が外れることを防止され、ロックプレート４６を設けることで一層安全に注ぎ出すことができる。
【００４７】
なお、ノズル用開口部４１の開口端を塞ぐロックプレート４６を省略するようにしても構造上ボトル１００が外れることが防止されるので安全に注ぎ出すことができる。
【００４８】
さらに、このボトル用ホルダ３０では、冷蔵庫の野菜室やドアポケットなどに縦置き状態として出し入れする場合には、上部本体３１に設けたアーム部４９がボトル１００のノズル部１１０の近傍の上方（上部本体３１のドーム状の肩部分）に位置するので、アーム部４９を利用して出し入れすることができ、簡単に出し入れできるとともに、ボトル１００だけを収納するスペースに加えてハンドル部５３のわずかな突き出しに伴うスペースを確保するだけで収納することができ、冷蔵庫のドアポケットへの収納も可能となる。
【００４９】
また、冷蔵庫などの棚などに横置きする場合には、アーム部４９を手前とし、側壁部本体３２の上下部側壁部５５ａ，５５ｂの平坦面５７を下にして置くことで、安定した状態で横置きできるとともに、出し入れの際に側壁部本体３２の平坦面５７を滑らすようにすることで簡単に出し入れすることができる。
【００５０】
一方、このようなボトル用ホルダ３０では、図４（ｂ）に示すように、成形後の保管やボトル用ホルダ３０自体を輸送したり、保管する場合に、ハンドル部５３を他のボトル用ホルダ３０のハンドル用開口部５６内に入れるように重ねることで、簡単に積み重ねることができ、スタック性を大幅に向上して省スペース化を図ることができるとともに、ハンドル部５３両側の傾斜面と他のハンドル用開口部５６の両側壁部とが接することでずれが防止され、安定した状態で積み重ねることができる。
【００５１】
また、このボトル用ホルダ３０では、合成樹脂による成形の際、２分割構造の割り型を用いて一体に成形することができ、金型の製作費用を削減できるとともに、成形も容易に行うことができる。
【００５２】
次に、この発明のボトル用ホルダの他の一実施の形態について、図面に基づき詳細に説明するが、既に説明した上記実施の形態と同一部分には同一記号を記し、説明は省略する。
【００５３】
図５〜図８はこの発明のボトル用ホルダの他の一実施の形態にかかり、図５は全体の正面と背面の概略斜視図およびロックリング部分の概略斜視図、図６は側面図および平面図、図７は縦断面図および中央横断面図、図８はボトルの装着の説明図である。
【００５４】
このボトル用ホルダ６０は、既に説明したボトル用ホルダ３０とは、ボトル用開口部４１の係止部４４に取り付けられたボトル１００のノズル部１１０を確実に固定保持するためのロック機構６１が異なるとともに、上部本体３１および側壁部本体３２に加えて設けられる底部本体３３が異なるものである。
【００５５】
このボトル用ホルダ６０の上部本体３１のノズル用開口部４１へのボトル１００のノズル部１１０のロック機構６１は、図５（ｃ）に示すように、環状のロックリング６２をノズル用開口部４１のＵ字状の側壁部４２の外側を囲むように嵌合し、図示しない突起部とこれを係合する凹部とをロックリング６２の内周面と側壁部４２の外周面とに形成することで係止固定してロック状態を保持できるようにしてある。
【００５６】
このようなロックリング６２は、円筒部６２ａとその上端部の水平なつば部６２ｂとが一体に形成されて構成され、ノつば部６２ｂのズル用開口部４１の開口側が広くしてあり、この広いつば部６２ｂを持って操作することで円筒部６２ａをノズル用開口部４１の側壁部４２の外側に嵌合してロックができるようにしてある。
【００５７】
さらに、このロックリング６２の紛失などを防止して確実にロック状態で使用できるようにするため、つば部６２ｂにストラップ６３の一端が連結され、ストラップ６３の他端が上部本体３１の上部外周に回動可能に連結してある。
【００５８】
また、このボトル用ホルダ６０では、上部本体３１と一体の側壁部本体３２の下端部に水平な底部本体３３が一体に形成してあり、このボトル用ホルダ６０自体の剛性向上を図ると同時に、ボトル１００を載置したり、ボトル１００自体の損傷防止などを図るようにする。
【００５９】
この底部本体３３は、略馬蹄形状に形成された底板部６４を備え、この底板部６４の略馬蹄形状の開口部がハンドル部５３側に配置してあり、略馬蹄形状の湾曲部分が下部側壁部５５ｂと連続して閉じられた状態としてある。
【００６０】
そして、この底板部６４の下面には、Ｕ字状の脚部６５が下方に突き出して形成され、底板部６４の補強とこのボトル用ホルダ６０ごとボトル１００を縦置き状態とする場合に安定した状態にできるようにしてある。
【００６１】
なお、このボトル用ホルダ６０の他の構成は、既に説明したボトル用ホルダ３０と同一である。
【００６２】
このようなロックリング６２と底部本体３３を備えて構成されたボトル用ホルダ６０では、図８に示すように、ボトル１００を上部本体３１と側壁部本体３２の間のボトル用開口部５１から斜めに入れて底部本体３３の底板部６４上に載置するようにし、上部本体３１のノズル用開口部４１の前方にボトル１００のノズル部１１０を位置させるようにした後、ノズル部１１０のつば状リング部１１２の下方をノズル用開口部４１の係合部４４の間に押し込むように装入して係止状態にする。
【００６３】
次いで、ロックリング６２のつば部６２ｂを持ってストラップ６３を回動してボトル１００のノズル部１１０の上から被せるようにノズル用開口部４１の側壁部４２の外側に嵌合し、突起部と凹部とを係合することで固定してボトル１００のボトル用ホルダ６０への取付状態を確実にする。
【００６４】
この後、ボトル用ホルダ３０の場合と同様に、新しいボトル１００の場合には、ノズル部１１０を覆うねじ式のキャップ１１３を回してシール部を切り離す。このキャップ１１３を回す場合には、上部本体３１に形成した貫通孔５０でボトル１００やホルダ６０自体を押さえたり、ハンドル部５３を押さえたり、側壁部本体３２を押え、あるいはボトル１００の胴部１２０をハンドル用開口部５６から直接押さえてキャップ１１３の回転に伴う反力を支持するようにすれば良く、上部本体３１の係止部４４に、ボトル１００のノズル部１１０の回り止め係合部を設けて回り止め構造とするようにしても良い。
【００６５】
このようなボトル１００のノズル部１１０の回転を阻止する回り止め構造としては、例えばボトル用ホルダ３０に設けた場合の一例を図９に示すように、この回り止め構造７０では、ボトル用ホルダ３０の上部本体３１のノズル用開口部４１の平面視略Ｕ字状の側壁部４２の内側の水平な水平壁部４３の下方に回り止め係合部７１を構成するラチェット機構のラチェット爪７２がＵ字部分の円弧部分に４５度間隔で４個形成してあり、反時計回りの上流部がほぼ放射方向に位置する係合面７３としてある。
【００６６】
一方、このボトル用ホルダ３０に装着されるボトル１００には、同図（ｂ），（ｃ）に示すように、キャップ１１３の密封用のシール部を切り離すためのラチェット部の下方でつば状リング部１１２の上方のノズル部１１０に回り止め部７４が設けられており、ホルダ３０側の回り止め係合部７１のラチェット爪７２と対をなすラチェット７５で構成され、ラチェット７５が円周等間隔に８個形成され、時計回りの上流部がほぼ放射方向に位置する係合面７６としてある。
【００６７】
このような回り止め構造７０によれば、ボトル用ホルダ３０にボトル１００を装入すると、ボトル１００の回り止め部７４のラチェット７５が、ボトル用ホルダ３０の回り止め係合部７１のラチェット爪７２の間に位置する。
【００６８】
この後、ボトル１００のキャップ１１３を開けるため反時計回りに回すと、ボトル用ホルダ３０のラチェット爪７２の係合面７３にボトル１００のラチェット７５の係合面７６が当って係合状態となり、これ以上のボトル１００の回転が阻止される。
【００６９】
これにより、ボトル１００を直接押さえることなく、キャップ１１３を回して取り外すことができる。
【００７０】
また、ボトル１００のノズル部１１０の回転を阻止する回り止め構造の他の例としては、例えばボトル用ホルダ６０に設けた場合の一例を図１０に示すように、この回り止め構造８０では、ボトル用ホルダ６０の上部本体３１のノズル用開口部４１の平面視略Ｕ字状の側壁部４２の内側の水平な水平壁部４３の下方に回り止め係合部８１を構成する平行部８２がＵ字部分の両側に形成してある。
【００７１】
一方、このボトル用ホルダ６０に装着されるボトル１００には、同図（ｂ），（ｃ）に示すように、キャップ１１３の密封用のシール部を切り離すためのラチェット部の下方でつば状リング部１１２の上方のノズル部１１０に回り止め部８３が設けられており、ホルダ６０側の回り止め係合部８１の平行部８２と対をなす平行部８４が形成してあり、ノズル部１１０の円筒状の外周を平行に削り落とすように形成され、ここでは直交する４面を同一幅の平行部として略正方形状の矩形に形成してある。
【００７２】
このような回り止め構造８０によれば、ボトル用ホルダ６０にボトル１００を装入すると、ボトル１００の回り止め部８３の平行部８４が、ボトル用ホルダ６０の回り止め係合部８１の平行部８２の間に位置する。
【００７３】
この後、ボトル１００のキャップ１１３を開けるため反時計回りに回すと、ボトル用ホルダ６０の平行部８２にボトル１００の平行部８４が挾まれるように当って係合状態となり、これ以上のボトル１００の回転が阻止される。
【００７４】
これにより、ボトル１００を直接押さえることなく、キャップ１１３を回して取り外したり、逆に閉めることもできる。
【００７５】
なお、ボトル１００の形成する回り止め部８３としては、少なくとも平行な２面の平行部８４が形成してあれば良く、ボルト１００の装入方向が限定されるものの、回り止め機能としては十分であるが、正方形状の矩形の平行部８４とすれば、ボトル１００の装入方向を合わせるための角度調整も小さくでき、容易に装入することができる。
【００７６】
そして、キャップ１１３を取り外した後、注ぎ出す場合には、ボトル用ホルダ６０の側方に突き出した横に広い水平断面形状が略台形状のハンドル部５３の指用長孔５４に親指と他の指を掛けて掴んで片手で持ち上げるようにして行う。
【００７７】
また、ハンドル部５３に指を掛けて掴んだ状態で、側壁部本体３２の下部側壁部５５ｂの下端縁を床面などに付けたまま傾けるようにして注ぎ出すこともでき、特に、内容量が多く重量のあるボトル１００であっても全体を持ち上げることなくわずかな力で注ぎ出すことができ、力のない者でも容易に注ぎ出すことができ、しかもこのようなボトル１００を傾ける場合にも、ボトル１００のノズル部１１０がボトル用ホルダ６０のノズル用開口部４１に嵌まる方向であり、ボトル１００が外れることが防止され、ロックリング６２を設けることで、一層安全に注ぎ出すことができる。
【００７８】
なお、ノズル用開口部４１の側壁部４２の外側に嵌合してボトル１００を固定状態とするロックリング６２を省略するようにしても構造上ボトル１００が外れることが防止されるので安全に注ぎ出すことができる。
【００７９】
さらに、このボトル用ホルダ６０では、テーブルや冷蔵庫の野菜室などに縦置き状態とする場合には、底板部６４の下面に脚部６５を形成した底部本体３３が設けてあるので、底板部６４自体の剛性が高く、脚部６５によって安定した状態で縦置きすることができるとともに、ボトル１００の底部に何かが当って損傷することも防止できる。
【００８０】
また、このボトル用ホルダ６０でも、ボトル用ホルダ３０と同様に、冷蔵庫の野菜室やドアポケットなどに縦置き状態として出し入れする場合には、上部本体３１に設けたアーム部４９がボトル１００のノズル部１１０の近傍の上方（上部本体３１のドーム状の肩部分）に位置するので、アーム部４９を利用して出し入れすることができ、簡単に出し入れできるとともに、ボトル１００だけを収納するスペースに加えてハンドル部５３のわずかな突き出しに伴うスペースを確保するだけで収納することができ、冷蔵庫のドアポケットへの収納も可能となる。
【００８１】
さらに、冷蔵庫などの棚などに横置きする場合には、アーム部４９を手前とし、側壁部本体３２の上下部側壁部５５ａ，５５ｂの平坦面５７を下にして置くことで、安定した状態で横置きできるとともに、出し入れの際に側壁部本体３２の平坦面５７を滑らすようにすることで簡単に出し入れすることができる。
【００８２】
なお、このボトル用ホルダ６０でも、成形後の保管やボトル用ホルダ６０自体を輸送したり、保管する場合に、ハンドル部５３を他のボトル用ホルダ６０のハンドル用開口部５６内に入れるように重ねることで、簡単に積み重ねることができ、スタック性を大幅に向上して省スペース化を図ることができるとともに、ハンドル部５３両側の傾斜面と他のハンドル用開口部５６の両側壁部とが接することでずれが防止され、安定した状態で積み重ねることができる。
【００８３】
また、このボトル用ホルダ６０でも、合成樹脂による成形の際、２分割構造の割り型を用いて一体に成形することができ、金型の製作費用を削減できるとともに、成形も容易に行うことができる。
【００８４】
なお、この各実施の形態では、ボトルとして胴部が円筒状のＰＥＴボトルを対象に説明したが、胴部の形状が矩形筒状など他の形状であっても良く、ボトルの材質もＰＥＴに限らず他の合成樹脂や金属あるいはガラスなど他の材質であっても良い。
【００８５】
【発明の効果】
以上、実施の形態とともに具体的に説明したように、この発明の請求項１記載のボトル用ホルダによれば、内方にボトルが収納され上端部にボトルのノズル部が側方から装入されるノズル用開口部を備え、このノズル用開口部に装入された前記ノズル部を着脱可能に係止保持する係止部を備える上部本体と、この上部本体の前記ノズル用開口部と対向しボトル胴部を装入するボトル用開口部をあけて側壁部を延出させて形成したハンドル部を備え、このハンドル部と対向する側壁部に同一形状の他のハンドル部を収納可能とするハンドル用開口部を備えた側壁部本体とを備えるようにしたので、側壁部を延出させて広い範囲を掴むようにして省スペースでハンドル部を形成することができ、このハンドル部を持って注ぎ出しなどを容易に行うことができる。
【００８６】
また、この発明の請求項１記載のボトル用ホルダによれば、ハンドル部と対向する側壁部にハンドル部が収納できるハンドル用開口部を形成してあるので、ボトル用ホルダ同士を積み重ねる場合のスタック性の向上を図ることができる。
【００８７】
さらに、この発明の請求項２記載のボトル用ホルダによれば、前記上部本体の前記ノズル用開口部に被せられ当該上部本体と装入係合されたノズル部の周囲とを連結固定するロックリングまたは前記ノズル用開口部の開口端側に、当該開口端を開閉可能として装入係止されたノズル部を保持固定するロックプレートを設けるようにしたので、ノズル用開口部の係止部に係止保持されたボトルのノズル部をロックリングで囲んで確実に固定状態にすることができ、ロックリングに替えて設けるロックプレートでノズル用開口部の開口端を塞ぐようにでき、これによってもボトルのノズル部を確実に固定状態にすることができる。
【００８８】
さらに、この発明の請求項３記載のボトル用ホルダによれば、前記上部本体の上面部に、操作用のアーム部を設けるようにしたので、縦置き状態でも横置き状態でも上方や手前に位置することになる操作用のアーム部によって簡単に取出したり、収納したりする等の操作ができ、ボトルの取り扱いが容易になる。
【００８９】
また、この発明の請求項４記載のボトル用ホルダによれば、前記側部本体のハンドル部と対向する側壁部に横置き可能とする平坦面を形成するようにしたので、側壁部の平坦面を下にすることで安定した状態で横置きすることができ、しかもこの部分を滑らすことで取出しなども簡単になる。
【００９０】
さらに、この発明の請求項５記載のボトル用ホルダによれば、前記側部本体の下端部に縦置き状態の底部となる底部本体を一体に形成するようにしたので、ホルダ全体の剛性を高めることができるとともに、安定した状態で縦置きすることができる。
【００９１】
また、この発明の請求項６記載のボトル用ホルダによれば、前記上部本体の前記ノズル用開口部に、装入される前記ボトルに形成された回り止め部と係合して当該ボトルの回転を阻止する回り止め係合部を設けるようにしたので、回り止め係合部にボトルの回り止め部を係合して装入されたボトルの回転を阻止することができ、キャップを回すだけでボトルを押さえることなく、簡単に注ぎ出すことができ、特に使い初めのキャップのシール部の切り離しを簡単に行うことができる。
【００９２】
さらに、この発明の請求項７記載のボトル用ホルダによれば、前記回り止め部と前記回り止め係合部とを互いを係合する外周部を平行にした２面部、矩形部、係合爪部のいずれかで構成するようにしたので、互いを係合する外周部を平行にした２面部、矩形部、係合爪部のいずれかを設けることでボトルの回転を確実に阻止することができる。
【図面の簡単な説明】
【図１】この発明のボトル用ホルダの一実施の形態にかかる全体の正面と背面の概略斜視図およびロックプレート部分の正面図である。
【図２】この発明のボトル用ホルダの一実施の形態にかかる側面図および平面図である。
【図３】この発明のボトル用ホルダの一実施の形態にかかる縦断面図および中央横断面図である。
【図４】この発明のボトル用ホルダの一実施の形態にかかるボトルの装着の説明図およびスタック状態の説明図である。
【図５】この発明のボトル用ホルダの他の一実施の形態にかかる全体の正面と背面の概略斜視図およびロックリング部分の概略斜視図である。
【図６】この発明のボトル用ホルダの他の一実施の形態にかかる側面図および平面図である。
【図７】この発明のボトル用ホルダの他の一実施の形態にかかる縦断面図および中央横断面図である。
【図８】この発明のボトル用ホルダの他の一実施の形態にかかるボトルの装着の説明図である。
【図９】この発明のボトル用ホルダの一実施の形態にかかるボトルの回り止め機構の平面図、ボトルの正面図およびＣ−Ｃ断面図である。
【図１０】この発明のボトル用ホルダの他の一実施の形態にかかるボトルの回り止め機構の平面図、ボトルの正面図およびＣ−Ｃ断面図である。
【図１１】従来のボトル支持用把手の概略斜視図である。
【図１２】従来の柔軟容器の保持器の概略斜視図である。
【符号の説明】
３０，６０　ボトル用ホルダ
３１　上部本体
３２　側部本体
３３　底部本体
４１　ノズル用開口部
４２　側壁部
４３　水平壁部
４４　係止部
４５　突起部（アンダーカット）
４６　ロックプレート
４７　係合用突起
４８　係合用溝
４９　アーム部
５０　貫通孔
５１　ボトル用開口部
５２　側壁部（ハンドル側）
５３　ハンドル部
５４　指用長孔
５５　側壁部（ハンドル対向側）
５６　ハンドル用開口部
５７　平坦面
６１　ロック機構
６２　ロックリング
６３　ストラップ
６４　底板部
６５　脚部
７０　回り止め機構
７１　回り止め係合部
７２　ラチェット爪
７３　係合面
７４　回り止め部
７５　ラチェット
７６　係合面
８０　回り止め機構
８１　回り止め係合部
８２　平行部
８３　回り止め部
８４　平行部
１００　ボトル
１１０　ノズル部
１１２　つば状リング部
１２０　胴部
１３０　縮径部
１４０　底部
【図１】
2004067113.tif 000003
【図２】
2004067113.tif 000004
【図３】
2004067113.tif 000005
【図４】
2004067113.tif 000006
【図５】
2004067113.tif 000007
【図６】
2004067113.tif 000008
【図７】
2004067113.tif 000009
【図８】
2004067113.tif 000010
【図９】
2004067113.tif 000011
【図１０】
2004067113.tif 000012
【図１１】
2004067113.tif 000013
【図１２】
2004067113.tif 000014